(57)【要約】  【課題】本発明は、利用者ＩＤ取得機能を搭載したカラオケ装置を利用し、カラオケ装置の演奏履歴と利用者の年齢、性別等の属性情報から好みの楽曲を推測選曲し、人為的な行為を必要とせず、選曲した楽曲をＢＧＭとして自動設定することができるカラオケシステムの提供。  【解決手段】  利用者ＩＤ取得手段（３）と、演奏履歴管理手段（１５）と、利用者別属性情報管理手段（１６）と、属性別演奏楽曲管理手段（１７）と、利用者別ＢＧＭ演奏手段（１８）とを要し、演奏履歴管理テーブル（Ｔ１）と属性情報管理テーブル（Ｔ２）に基づいて、所定の属性情報により楽曲を抽出し、演奏楽曲管理テーブル（Ｔ３）として管理し、このテーブルから楽曲を抽出し、ＢＧＭ演奏するシステムを構築した。【選択図】図１
2007065225.tif 000002
【特許請求の範囲】
【請求項１】
利用者ＩＤ取得手段と、演奏履歴管理手段と、利用者別属性情報管理手段と、属性別演奏楽曲管理手段と、利用者別ＢＧＭ演奏手段とを要し、カラオケ装置を利用したシステムであり、
（ア）  利用者ＩＤ取得手段とは、利用者ＩＤを取得して、利用者を特定するものであり、
（イ）  演奏履歴管理手段とは、演奏された楽曲の履歴に基づき、その演奏履歴を演奏履歴
管理テーブルにて管理するものであり、
（ウ）  利用者別属性情報管理手段とは、利用者ＩＤ毎に利用者の年齢、性別等の属性情報
を属性情報管理テーブルにて管理するものであり、
（エ）  属性別演奏楽曲管理手段とは、前記演奏履歴管理テーブルと属性情報管理テーブル
に基づいて、所定の属性情報により楽曲を抽出し、演奏楽曲管理テーブルとして管理するものであり、
（オ）  利用者別ＢＧＭ演奏手段とは、利用者ＩＤが取得された所定の現利用者につき、そ
の属性情報を前記属性情報管理テーブルより参照し、これに基づき前記演奏楽曲管理テーブルから、所定の条件にて抽出した楽曲をＢＧＭ演奏させるものであり、
を具備してなるカラオケＢＧＭ演奏管理システム。
【請求項２】
前記カラオケ装置とネットワーク接続されたカラオケホストを利用し、当該ホスト装置内に前記演奏履歴管理手段と、利用者別属性情報管理手段と、属性別演奏楽曲管理手段とが設けられている、請求項１記載のカラオケＢＧＭ演奏管理システム。
【発明の詳細な説明】
【技術分野】
【０００１】
本発明は、カラオケの演奏履歴および利用者毎の属性情報からＢＧＭを設定し演奏するカラオケシステムに関する。
【背景技術】
【０００２】
一般的にカラオケ装置のＢＧＭとは、例えば楽曲と楽曲の予約間に演奏されるものである。このＢＧＭは、カラオケ装置内部にある楽曲をサービスマンモードのようなユーザーインタフェースを使用して、演歌、ポップス等のジャンルを指定し演奏される。また、特許文献１では、従来のカラオケシステムに関し、入店者リストから演奏履歴を参照し最も演奏回数が多い楽曲から、ＢＧＭとして演奏する技術が開示されている。
【特許文献１】特開２００３−４４０６１号公報
【発明の開示】
【発明が解決しようとする課題】
【０００３】
しかしながら、カラオケのＢＧＭを選曲する際は、上記のサービスマンモードのようなユーザーインタフェースを使用して設定するのでは、人手を要するために、手間や時間がかかり、また、ＢＧＭのジャンルの中に現利用者の好みの楽曲がなかったりすることがある。そこで本発明は、人為的な行為を必要とせずに、カラオケＢＧＭを自動的に設定でき、かつ、現利用者の好みのＢＧＭを推測することができる、カラオケＢＧＭ演奏管理システムの構築を目的とする。
【課題を解決するための手段】
【０００４】
上記課題を鑑み、本発明は利用者ＩＤ取得機能を搭載したカラオケ装置を利用し、カラオケ装置の演奏履歴と利用者の年齢、性別等の属性情報から好みの楽曲を推測選曲し、また、ＢＧＭの自動設定を行うことで、上記課題を解決できることを見出し、本発明のカラオケＢＧＭ演奏管理システムを想到した。
【０００５】
すなわち、本発明の請求項１記載のカラオケＢＧＭ演奏管理システムは、利用者ＩＤ取得手段と、演奏履歴管理手段と、利用者別属性情報管理手段と、属性別演奏楽曲管理手段と、利用者別ＢＧＭ演奏手段とを要し、カラオケ装置を利用したシステムであり、
（ア）  利用者ＩＤ取得手段とは、利用者ＩＤを取得して、利用者を特定するものであり、
（イ）  演奏履歴管理手段とは、演奏された楽曲の履歴に基づき、その演奏履歴を演奏履歴
管理テーブルにて管理するものであり、
（ウ）  利用者別属性情報管理手段とは、利用者ＩＤ毎に利用者の年齢、性別等の属性情報
を属性情報管理テーブルにて管理するものであり、
（エ）  属性別演奏楽曲管理手段とは、前記演奏履歴管理テーブルと属性情報管理テーブル
に基づいて、所定の属性情報により楽曲を抽出し、演奏楽曲管理テーブルとして管理するものであり、
（オ）  利用者別ＢＧＭ演奏手段とは、利用者ＩＤが取得された所定の現利用者につき、そ
の属性情報を前記属性情報管理テーブルより参照し、これに基づき前記演奏楽曲管理テーブルから、所定の条件にて抽出した楽曲をＢＧＭ演奏させるものであり、
を具備してなることを特徴とする。
【０００６】
次に、本発明の請求項２記載のカラオケＢＧＭ演奏管理システムは、前記カラオケ装置とネットワーク接続されたカラオケホストとを利用し、当該ホスト装置内に演奏履歴管理手段と、利用者別属性情報管理手段と、属性別演奏楽曲管理手段とが設けられていることを特徴とする。
【発明の効果】
【０００７】
本発明の請求項１記載のカラオケＢＧＭ演奏管理システムによれば、演奏履歴を管理する演奏履歴管理テーブルと、利用者の年齢、性別等の属性情報を管理する属性情報管理テーブルに基づき、所定の属性情報より楽曲を抽出し、新たに演奏楽曲管理テーブルとして管理し、利用者別ＢＧＭ演奏手段は、現利用者の属性情報に対応した前記演奏楽曲管理テーブルを参照することにより、好みの楽曲を推測して抽出でき、人為的な行為を必要とせずカラオケＢＧＭを自動的に設定できるといった効果を奏する。
【０００８】
さらに、本発明の請求項２記載のカラオケＢＧＭ演奏管理システムによれば、カラオケホスト装置内の演奏履歴管理テーブルに演奏履歴と、利用者属性情報管理テーブルに属性情報と、演奏楽曲管理テーブルに所定の属性情報より抽出した楽曲データを、カラオケホスト装置にネットワーク接続された如何なるカラオケ装置からも収集できると共に、如何なるカラオケ装置へもカラオケホスト装置に収集された情報を還元することにより、どこのカラオケ装置からでも同じサービスが受けられるといった効果を奏する。
【発明を実施するための最良の形態】
【０００９】
以下、本発明のカラオケシステムについての最適な実施例を挙げ、先ず、図１に示すカラオケシステムを構成するカラオケ装置のブロック構成図について説明する。
【実施例１】
【００１０】
図１は、本発明のカラオケシステムを構成するカラオケ装置のブロック構成図である。本実施例におけるカラオケ装置（Ｐ）は、主に中央制御手段（２）と、これに接続される各種機能手段およびハードディスク（４）などから構成される。ここでカラオケ装置（Ｐ）における各構成要素について説明する。先ず、通信制御手段（１２）は、ＡＤＳＬ回線、ＩＳＤＮ回線、一般電話回線などのネットワーク通信回線を介して行われるカラオケホスト装置との通信を制御するためのものである。また、利用者ＩＤ取得手段（３）にて認識された利用者のＩＤを、そのログインからログアウトまでを総括管理するもので、この利用者ＩＤ取得手段（３）によって、一度、その利用者ＩＤ（２１）をもってログインした利用者が所定の操作処理をした場合、その利用者が特定される。なお、利用者ＩＤ（２１）は、リモコン装置（Ｒ）のフラッシュメモリ（図示省略）とハードディスク（４）の双方に格納することができる。
【００１１】
次に、音声生成プロセスについて説明する。音源（６）は中央制御手段（２）が実行するシーケンサ（１４）の処理によって入力され、デジタルミキサ（７）は音源（６）が発生した複数の楽音信号やカラオケマイクとＡ/Ｄコンバータ（９）を介して入力された歌唱者の歌唱音声信号を適当なバランスでミキシングする。ミキシングされたデジタル音声信号はサウンドシステム（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１２】
ハードディスク（４）に記録されている楽曲データ（１８）における映像データは、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換し合成回路（１１）に入力し、この合成回路（１１）は、背景映像の映像信号上にテロップや採点ＯＳＤを合成し、合成された映像信号は表示手段（Ｄ）に表示される。また、ハードディスク（４）には、演奏履歴管理手段（１５）を使用して演奏履歴を管理する演奏履歴管理テーブル（Ｔ１）や、利用者別属性情報管理手段（１６）を使用して利用者の年齢、性別等の属性情報を管理する属性情報管理テーブル（Ｔ２）や、属性別演奏楽曲管理手段（１７）を使用して、演奏履歴管理テーブル（Ｔ１）と属性情報管理テーブル（Ｔ２）に基づいて、所定の属性情報より楽曲を抽出し管理する演奏楽曲管理テーブル（Ｔ３）等が設けられている。
【００１３】
そして、リモコン装置（Ｒ）は、楽曲検索機能あるいは楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列（図示省略）に楽曲コードを演奏予約する。
【００１４】
このリモコン装置（Ｒ）の利用者ＩＤ取得手段（３）を使用して任意の利用者がログインされた場合は、利用者別ＢＧＭ演奏手段（１８）を使用し、利用者の属性情報から属性情報管理テーブル（Ｔ２）を参照して、これに基づき演奏楽曲管理テーブル（Ｔ３）から所定の条件にて抽出した楽曲をＢＧＭ演奏する。
【００１５】
次に、図２に示す、カラオケリモコン装置の外観斜視図と、図３に示す、利用者別ログイン・ログアウト指示のインタフェース表示画面に基づき、各利用者の登録手順について説明する。
【００１６】
先ず、図２は、ＧＵＩ操作パネル（Ｒａ）が備えられたリモコン装置（Ｒ）の外観斜視図である。このリモコン装置（Ｒ）は、利用者ＩＤを取得し、当該利用者のログインを特定するためのＩＤカード読み取り／書き込み装置（３）が付帯されている。この読み取り／書き込み装置（３）は非接触のＩＣモジュールを搭載したカードを対象とする装置であり、ＩＤカードに紐付けされた利用者ＩＤを特定するものである。勿論、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能に依る機構の利用者識別手段を利用しても構わない。なお、このカラオケ装置と通信したり、さらには、ＶＰＮ（Virtual Private Network）を介してカラオケホスト装置と通信したりできる。
【００１７】
次に、図３は、本システムにログインするために利用者ＩＤ登録を行う画面である。利用者ＩＤ取得手段にて利用者がシステムにログインすると、「お客様メンバーズゲート」画面（４０）内に当該利用者の「ゲートボタン」(４０ａ)が形成される。その後、当該利用者は「ゲートボタン」（４０ａ）を選択し歌唱したい楽曲を指定することにより、図1に示すように演奏予約手段（１３）は、その楽曲を利用者ＩＤと紐付けして予約楽曲が予約待ち行列に登録される。
【００１８】
次に、図４に示す、演奏履歴管理テーブルの概略図と、図５に示す、属性情報管理テーブルの概略図に基づき、各利用者の演奏履歴および属性情報について説明する。
【００１９】
図４は、演奏履歴管理手段（１５）を使用して、演奏履歴を管理した演奏履歴管理テーブル（Ｔ１）である。この演奏履歴管理テーブル（Ｔ１）は、演奏端末毎に演奏履歴を管理するもので、その構成要素としては、演奏端末のＩＤを特定する「演奏端末」フィールド（ｆ０）と、管理するための番号を示す「管理番号」フィールド（ｆ１）と、演奏日時を示す「演奏日時」フィールド（ｆ２）と、利用者の名前やニックネームを示す「氏名」フィールド（ｆ３）と、利用者ＩＤを特定する「利用者ＩＤ」フィールド（ｆ４）と、楽曲を特定する「楽曲コード」フィールド（ｆ５）からなる。
【００２０】
次に、図５は、利用者別属性情報管理手段を使用して、利用者ＩＤ毎に利用者の年齢、性別等の属性情報を管理する属性情報管理テーブル（Ｔ２）である。この属性情報管理テーブル（Ｔ２）の構成要素としては、管理するための番号を示す「管理番号」フィールド（ｆ１）と利用者の氏名やニックネームを示す「氏名」フィールド（ｆ２）と、利用者を特定する「利用者ＩＤ」フィールド（ｆ３）と、年齢を特定する「年齢」フィールド（ｆ４）と、性別を特定する「性別」フィールド（ｆ５）からなり、このテーブルにより利用者の属性情報が管理される。なお、属性情報には、年齢、性別の他に好みのアーティストや現住所等の地域情報も含む場合もある。
【００２１】
次に、図６に示す、演奏楽曲管理テーブルの概略図にと、図７に示すＢＧＭ演奏インタフェース表示画面に基づき、所定の条件にて抽出した楽曲をＢＧＭとして演奏する手順について説明する。
【００２２】
図６は、属性別演奏楽曲管理手段（１７）を使用して、演奏履歴管理テーブル（Ｔ１）と属性情報管理テーブル（Ｔ２）に基づいて、所定の属性情報により楽曲を抽出し管理する、演奏楽曲管理テーブル（Ｔ３）である。この演奏楽曲管理テーブル（Ｔ３）の構成要素としては、年齢、性別等の属性情報からなるパターンを特定する「属性情報」フィールド（ｆ１）と、管理する番号と同時に、演奏頻度の順位を示す「管理番号」フィールド（ｆ２）と、楽曲を特定する「楽曲コード」フィールド（ｆ３）と、ある一定期間の演奏頻度を示す「演奏頻度」フィールド（ｆ４）からなり、任意の利用者がログインし利用者ＩＤを取得した際に、その属性情報より属性情報管理テーブル（Ｔ２）を参照し、所定の条件にて抽出した楽曲をＢＧＭとして演奏するものである。なお、本実施例での所定条件とは、演奏頻度の上位７曲としているが、本発明ではこれに限らず、演奏頻度の高い順から所定数或いは、演奏履歴の新しい順にかけての所定数を抽出することも好ましい。
【００２３】
次に、図７は、リモコン装置を使用してＢＧＭの演奏設定を行う画面である。利用者ＩＤ取得手段にて利用者がシステムにログイン後、「メインメニュー」（５０）内の「ＢＧＭ演奏」（５０ａ）ボタンが押された場合この指示によりＢＧＭ演奏がされる場合や、或いは、一定時間に楽曲演奏がなかった場合などに、ＢＧＭが自動的に演奏される。
【００２４】
次に、図８に示す、本発明に関わる通信カラオケシステムの概念的構成図と、図９に示す、本発明のシステムに関連するカラオケホスト装置のブロック構成図に基づき、本発明におけるカラオケ装置とカラオケホスト装置との関係と共に当該カラオケホスト装置に設けられた演奏履歴管理手段と、利用者別属性情報管理手段と、属性別演奏楽曲管理手段について説明する。
【実施例２】
【００２５】
先ず、図８に示すように、本発明に関わる通信カラオケシステムは、主に、カラオケホスト装置（Ｈ）と通信ネットワークを介して接続された多数のカラオケ演奏装置（Ｐ，Ｐ・・・・）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ・・・・）に接続される。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ(Ｄynamic Host Configuration Protocol）サーバー機能によって、各カラオケ演奏装置（Ｐ，Ｐ・・・・）にＩＰアドレスを割り当て、それらのＭＡＣ（Media Access Control）アドレスとこのＩＰアドレスとを対応付けしたテーブルを作成して通信処理をしている。
【００２６】
次に、図９は本発明のシステムを構成するカラオケホスト装置のブロック構成図である。カラオケホスト装置（Ｈ）は、通信制御インタフェース（３６）を使用してカラオケ装置（Ｐ）と通信を行い、中央制御手段（３０）における演奏履歴管理手段（３１）と、利用者別属性情報管理手段（３２）と、属性別演奏楽曲管理手段（３３）の指示により、ハードディスク（３４）には、前述したカラオケ装置と同様に、利用者ＩＤ（３５）と、演奏履歴管理テーブル（Ｔ１）と、属性情報管理テーブル（Ｔ２）と、演奏楽曲管理テーブル（Ｔ３）が設けられている。また、カラオケホスト装置（Ｈ）より保存したデータを各カラオケ装置（Ｐ，Ｐ・・・・）にダウンロードすることが可能である。これによりカラオケホスト装置（Ｈ）にネットワーク接続された如何なるカラオケ装置（Ｐ，Ｐ・・・・）からも情報を収集できると共に、如何なるカラオケ装置（Ｐ，Ｐ・・・・）へもカラオケホスト装置（Ｈ）に収集された情報を還元することにより、どこのカラオケ装置（Ｐ，Ｐ・・・・）からでも同じサービスが受けられるといった効果を奏する。
【００２７】
以上、説明したように、本発明のカラオケＢＧＭ演奏管理システムによれば、利用者ＩＤ取得機能を搭載したカラオケ装置を利用し、カラオケ装置の演奏履歴と利用者の属性情報を参照することにより、現利用者の推測された好みのＢＧＭの設定を自動的に行える。
【図面の簡単な説明】
【００２８】
【図１】本システムに関連するカラオケ装置のブロック構成図
【図２】カラオケリモコン装置の外観斜視図
【図３】利用者別ログイン・ログアウト指示のインタフェース表示画面
【図４】演奏履歴管理テーブルの概略図
【図５】属性情報管理テーブルの概略図
【図６】演奏楽曲管理テーブルの概略図
【図７】ＢＧＭ演奏のインタフェース表示画面
【図８】本発明に関わる通信カラオケシステムの概念的構成図
【図９】本発明のシステムに関連するカラオケホスト装置のブロック構成図
【符号の説明】
【００２９】
Ｐ         カラオケ装置
２，  ３０ 中央制御手段
３         ＩＤカード読み取り／書き込み装置（利用者ＩＤ取得手段）
４，  ３４ ハードディスク
１５，３１ 演奏履歴管理手段
１６，３２ 利用者別属性情報管理手段
１７，３３ 属性別演奏楽曲管理手段
１８      
利用者別ＢＧＭ演奏手段
２１，３５ 利用者ＩＤ
Ｔ１，Ｔ４ 演奏履歴管理テーブル
Ｔ２，Ｔ５ 属性情報管理テーブル
Ｔ３，Ｔ６ 演奏楽曲管理テーブル
Ｒ         リモコン装置
【図２】
2007065225.tif 000003
【図３】
2007065225.tif 000004
【図４】
2007065225.tif 000005
【図５】
2007065225.tif 000006
【図７】
2007065225.tif 000007
【図８】
2007065225.tif 000008
【図９】
2007065225.tif 000009
【図１】
2007065225.tif 000010
【図６】
2007065225.tif 000011